(57)【要約】【課題】迷光の発生箇所の特定作業や迷光の発生箇所に対する調整等の作業を必要とすることなく、迷光による不要な露光を容易かつ確実に防止する。【解決手段】光走査装置１の筐体２０内でブラックの迷光が進入するイエローの光路内に配置される防塵ガラス５１Ａを、光の透過率が７０％〜８０％程度のガラスで構成した。これとともに、イエローのレーザダイオード２１Ａの駆動量を例えば１．２５〜１．４３倍に増加する。イエローの感光体ドラム３Ａには、イエローの画像光が適正な光量で配光されるとともに、ブラックの迷光は光量が７０％〜８０％に減衰された状態で配光される。感光体ドラム３０Ａには、迷光の影響を受けないイエローの画像光による潜像が形成される。【選択図】  図５
2012003046.tif 000002
【特許請求の範囲】
【請求項１】
透光部材で被覆された複数の窓部を有する筐体と、
前記筐体内に収納された複数の光源と、
前記複数の光源から照射された複数の光のそれぞれを、主走査方向に沿って等角速度偏向する走査手段と、
前記複数の光のそれぞれについて、前記走査手段から前記複数の窓部のそれぞれに至る個別の光路を構成する光学素子と、
前記複数の光源のうちの第１の光源の光路であって前記複数の光源のうちの第２の光源から照射された光が迷光として進入する第１の光源の光路における前記迷光の進入位置よりも下流側の光量を減衰させる光量減衰手段と、
前記光量減衰手段で減衰された光量を補うように前記第１の光源を駆動する駆動手段と、
を備えた光走査装置。
【請求項２】
前記光量減衰手段は、前記第１の光源の光路における前記迷光の進入位置よりも下流側で光の透過率を低下させる透過系光学素子である請求項１に記載の光走査装置。
【請求項３】
前記光量減衰手段は、前記第１の光源の光路における前記迷光の進入位置よりも下流側で光の反射率を低下させる反射系光学素子である請求項１に記載の光走査装置。
【請求項４】
前記透過系光学素子は、前記複数の窓部うち前記第１の光源から照射された光の光路に含まれる窓部の透過率を低下させる請求項２に記載の光走査装置。
【請求項５】
前記反射系光学素子は、前記第１の光源の光の光路を構成する請求項３に記載の光走査装置。
【請求項６】
請求項１乃至５の何れかに記載の光走査装置と、前記複数の光源から照射された光のそれぞれの走査対象である複数の感光体と、を備えた画像形成装置。
【発明の詳細な説明】
【技術分野】
【０００１】
この発明は、複数の光源から照射された光のそれぞれについて個別の光路を構成するミラー及びレンズ等の光学素子を備えた光走査装置、及びこの光走査装置から露光を受ける複数の潜像担持体を備えたプリンタ等の電子写真方式の画像形成装置に関する。
【背景技術】
【０００２】
電子写真方式の画像形成処理を行う画像形成装置には、走査対象である潜像担持体としての感光体を画像光で走査して露光する光走査装置が備えられている。光走査装置は、光源、走査手段及び光学素子を備えている。光源は、画像データによって変調された画像光を照射する。走査手段は、ビーム光である画像光を感光体の主走査方向に沿って走査する。光学素子は、レンズ及びミラー等である。光走査装置は、外部光の影響を防止するために、遮光性の筐体内に収納されている。画像光は、筐体の一部に構成された窓部から感光体に配光される。
【０００３】
このような光走査装置として、複数の光源を備えたものがある。例えば、カラー画像形成装置に用いられる光走査装置は、イエロー、マゼンタ、シアン及びブラックの各色の画像光を照射するために少なくとも４つの光源を備えている。カラー画像形成装置に用いられる光走査装置は、４つの光源から照射された光のそれぞれを、カラー画像形成装置が備える４つの感光体のそれぞれに導くための個別の光路を構成する。部品点数の削減による小型化及び低コスト化のため、４つの光源から照射された光は、単一の走査手段によって走査される。
【０００４】
ところが、複数の画像光を単一の走査手段で走査するためには、各画像光を互いに近接させる必要がある。このため、一部の画像光が、筐体の内側面又は部品で反射し、他の画像光の光路内に迷光として進入することがある。例えば、イエローの画像光の光路内にマゼンタの迷光が進入すると、マゼンタの迷光がイエローの画像光とともに感光体に配光されて不要な露光が行われる結果、イエローの画像を感光体に正確に書き込むことができなくなる。
【０００５】
そこで、走査手段であるポリゴンミラーの周辺部に配置されている平板を傾斜させ、平板で反射した画像光が他の画像光の光路内に進入しないようにしたものがある（例えば、特許文献１参照。）。
【先行技術文献】
【特許文献】
【０００６】
【特許文献１】特開平０９−２７４１３４号公報
【発明の概要】
【発明が解決しようとする課題】
【０００７】
しかし、迷光は、ポリゴンミラーの周辺部に配置された平板以外の部分でも発生する。このため、特許文献１に記載された構成では、迷光が他の画像光の光路内に進入することを確実に防止することができない。
【０００８】
また迷光の発生を防止しようとすると、迷光の発生箇所に低反射率部材を貼付するか、又は角度を調整するために、迷光の発生箇所を特定する必要がある。ところが、単一の走査手段を備えた光走査装置では複数の画像光が同一のタイミングで走査されるため、迷光の発生箇所の特定は容易でない。
【０００９】
この発明の目的は、迷光の影響を受ける画像光の光量を上昇させた上で、迷光が進入した後の光路内の光量を減少させ、迷光の発生箇所の特定作業や迷光の発生箇所に対する調整等の作業を必要とすることなく、迷光による不要な露光を容易かつ確実に防止できる光走査装置及び画像形成装置を提供することにある。
【課題を解決するための手段】
【００１０】
この発明の光走査装置は、筐体、複数の光源、走査手段、光学素子、光量減衰手段、駆動手段を備えている。筐体は、透光部材で被覆された複数の窓部を有する。複数の光源は、走査手段、光学素子及び光量減衰手段とともに筐体内に収納されている。走査手段は、複数の光源から照射された複数の光のそれぞれを、主走査方向に沿って等角速度偏向する。光学素子は、複数の光のそれぞれについて、走査手段から複数の窓部のそれぞれに至る個別の光路を構成する。光量減衰手段は、複数の光源のうち第１の光源の光路であって複数の光源のうち第２の光源の光が迷光として進入する第１の光源の光路における第２の光源の光の進入位置よりも下流側の光量を減衰させる。駆動手段は、光量減衰手段で減衰された光量を補うように第１の光源を駆動する。
【００１１】
この発明では、第２の光源の光が迷光として進入する第１の光源の光路における全体の光量が、第２の光源の光の進入位置よりも下流側で光量減衰手段によって減衰される。第１の光源は、光量減衰手段による減衰量を補うように駆動される。したがって、第１の光源の光路中では、迷光である第２の光源の光の光量が低下し、第１の光源の光のみが所定の光量を維持した状態で、走査対象に配光される。
【００１２】
この構成において、光量減衰手段は、第１の光源の光路における第２の光源の光の進入位置よりも下流側で光の透過率を低下させる透過系光学素子とすることができる。第１の光源の光路内で、第１の光源の光及び第２の光源の光が例えばＮＤフィルタ（Neutral Density Filter）等の透過系光学素子を通過する際に、これらの光の光量を低下させることができる。
【００１３】
また、光量減衰手段は、第１の光源の光路における第２の光源の光の進入位置よりも下流側で光の反射率を低下させる反射系光学素子とすることもできる。第１の光源の光路内の第１の光源の光及び第２の光源の光が例えば表面をコーティングされたミラーで反射する際に、これらの光の光量を低下させることができる。
【００１４】
透過系光学素子は、第１の光源の光路に含まれる窓部を被覆する透光部材の透過率を低下させるものとすることが好ましい。窓部は第１の光源の光路における最も下流側に位置するため、第１の光源の光路における迷光の進入位置を考慮する必要がない。また、装置に既存の透光部材をＮＤフィルタとすればよく、部品点数の増加による装置の大型化及びコストの上昇を招くことがない。
【００１５】
反射系光学素子は、第１の光源の光路を構成するミラーとすることが好ましい。装置に既存のミラーの表面コーティング若しくはシート貼付、又は角度変更によって光量を減衰させることができ、部品点数の増加による装置の大型化及びコストの上昇を招くことがない。
【００１６】
上記の何れかの光走査装置を、複数の光源から照射された光のそれぞれの走査対象である複数の感光体を備えた画像形成装置に適用することで、複数の感光体のそれぞれに迷光の影響を受けない画像光を適正な光量で配光することができる。
【発明の効果】
【００１７】
この発明によれば、迷光の発生箇所の特定作業や迷光の発生箇所に対する調整等の作業を必要とすることなく、迷光による不要な露光を容易かつ確実に防止できる。
【図面の簡単な説明】
【００１８】
【図１】この発明の実施形態に係る光走査装置を備えた画像形成装置の概略図である。
【図２】この発明が適用される光走査装置の内部の平面図である。
【図３】同光走査装置の内部の正面図である。
【図４】同光走査装置の開蓋状態の外観図である。
【図５】この発明の第１の実施形態に係る同光走査装置の内部の正面図である。
【図６】この発明の第２の実施形態に係る同光走査装置の内部の正面図である。
【図７】この発明の第３の実施形態に係る同光走査装置の内部の正面図である。
【図８】同光走査装置の制御部のブロック図である。
【図９】（Ａ）〜（Ｃ）は、同光走査装置における光量を減衰させる前の迷光のみの露光状態、光量を減衰させた迷光のみの露光状態、及び画像光と迷光との露光状態のそれぞれ一例を示す図である。
【発明を実施するための形態】
【００１９】
以下に、本発明の実施形態に係る帯電装置を備えた画像形成装置を例に説明する。
【００２０】
図１に示すように、この発明の実施形態に係る光走査装置を備えた画像形成装置１００は、画像データに応じて、所定のシート（記録用紙）に対して多色及び単色の画像を形成する。装置本体１１０は、それぞれがイエロー（Ｙ）、マゼンタ（Ｍ）、シアン（Ｃ）、ブラック（Ｋ）の各色相のトナー像を形成する画像形成部６０Ａ〜６０Ｄを備えている。画像形成部６０Ａは、光走査装置１、現像器２、感光体ドラム３Ａ、クリーナユニット４、帯電器５、中間転写ベルトユニット６、定着ユニット７、給紙カセット８１、排紙トレイ９１等を有して構成されている。画像形成部６０Ｂ〜６０Ｄは、それぞれ画像形成部６０Ａと同様に構成されている。なお、画像形成部６０Ａ〜６０Ｄのそれぞれにおいて、この発明の潜像担持体である感光体ドラムには、便宜上３Ａ〜３Ｄの符号を付している。
【００２１】
装置本体１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができる。
【００２２】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２３】
光走査装置１は、本発明に関わる画像書込み装置に該当するものであり、レーザ出射部及び反射ミラー等を備えたレーザスキャニングユニット（ＬＳＵ）として構成される。光走査装置１は、レーザビームを走査するポリゴンミラーと、ポリゴンミラーによって反射されたレーザ光を感光体ドラム３に導くためのレンズやミラー等の光学要素が配置されている。光走査装置１を構成する光走査装置の構成は、後述する。また光走査装置１としては、この他発光素子をアレイ状に並べた例えばＥＬやＬＥＤ書込みヘッドを用いる手法も採用できる。
【００２４】
光走査装置１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２５】
感光体ドラム３の上方に配置されている中間転写ベルトユニット６は、中間転写ベルト６１、駆動ローラ６２、従動ローラ６３、中間転写ローラ６４を備えている。中間転写ローラ６４は、ＹＭＣＫ用の各色に対応して４本設けられている。
【００２６】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３Ａ〜３Ｄのトナー像を、中間転写ベルト６１上に転写するための転写バイアスを与える。
【００２７】
中間転写ベルト６１は、各感光体ドラム３Ａ〜３Ｄに接触するように設けられている、そして、感光体ドラム３Ａ〜３Ｄに形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００２８】
感光体ドラム３Ａ〜３Ｄから中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００２９】
上述の様に各感光体ドラム３Ａ〜３Ｄ上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３０】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３１】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３２】
給紙カセット８１は、画像形成に使用するシート（記録用紙）を蓄積しておくためのトレイであり、装置本体１１０の光走査装置１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３３】
また装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１Ａ，１１Ｂ、複数の搬送ローラ１２Ａ〜１２Ｄ，レジストローラ１３、転写ローラ１０、定着ユニット７等が配されている。
【００３４】
搬送ローラ１２Ａ〜１２Ｄは、シートの搬送を促進・補助するための小型のローラであり、用紙搬送路Ｓに沿って複数設けられている。またピックアップローラ１１Ａは、給紙カセット８１の端部近傍に備えられ、給紙カセット８１からシートを１枚ずつピックアップして用紙搬送路Ｓに供給する。同様にまたピックアップローラ１１Ｂは、手差し給紙カセット８２の端部近傍に備えられ、手差し給紙カセット８２からシートを１枚ずつピックアップして用紙搬送路Ｓに供給する。
【００３５】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３６】
定着ユニット７は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００３７】
次にシート搬送経路を詳細に説明する。上述のように、画像形成装置には予めシートを収納する給紙カセット８１、及び手差し給紙カセット８２が設けられている。これら給紙カセット８１，８２からシートを給紙するために、各々ピックアップローラ１１Ａ，１１Ｂが配置され、シートを１枚ずつ搬送路Ｓに導くようになっている。
【００３８】
各給紙カセット８１，８２から搬送されるシートは用紙搬送路Ｓの搬送ローラ１２Ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された搬送ローラ１２Ｂを経て排紙トレイ９１上に排出される。
【００３９】
上記の搬送経路は、シートに対する片面印字要求のときのものであるが、これに対して両面印字要求の時は、上記のように片面印字が終了し定着ユニット７を通過したシートの後端が最終の搬送ローラ１２Ｂで把持されたときに、搬送ローラ１２Ｂが逆回転することによってシートを搬送ローラ１２Ｃ，１２Ｄに導く。そしてその後レジストローラ１３を経てシート裏面に印字が行われた後にシートが排紙トレイ９１に排出される。
【００４０】
図２〜図４に示すように、光走査装置１は、熱可塑性樹脂材料の成形品である筐体２０内に、レーザダイオード２１Ａ〜２１Ｄ、ミラー２２〜２６、ポリゴンミラー２７、第１〜第３ｆθレンズ２８，２９，３０Ａ〜３０Ｄ、ミラー３１〜３８を収納している。
【００４１】
レーザダイオード２１Ａ〜２１Ｄは、この発明の光源に相当する。レーザダイオード２１Ａ〜２１Ｄは、それぞれイエロー、マゼンタ、シアン、ブラックの各色に対応し、各色の画像データで変調された画像光を照射する。
【００４２】
ミラー２２〜２５は、レーザダイオード２１Ａ〜２１Ｄから照射された画像光をミラー２６に向けて偏向する。ミラー２６は、レーザダイオード２１Ａ〜２１Ｄで偏向された画像光をポリゴンミラー２７に向けて偏向する。ミラー２２〜２６は、レーザダイオード２１Ａ〜２１Ｄとポリゴンミラー２７との間に配置されている。
【００４３】
ポリゴンミラー２７は、この発明の走査手段であり、画像光を等角速度偏向して主走査方向に沿って走査する。このため、ポリゴンミラー２７は、周面に沿って複数の反射面を備え、所定方向に等速回転する。
【００４４】
第１ｆθレンズ２８及び第２ｆθレンズ２９は、ポリゴンミラー２７で等角速度偏向された画像光を等速度偏向する。第３ｆθレンズ３０Ａ〜３０Ｄは、各画像光の形状を整えて筐体２０の外部の各感光体ドラム３Ａ〜３Ｄに配光する。ミラー３１〜３８は、第１及び第２ｆθレンズ２８，２９で偏向された各画像光をそれぞれ第３ｆθレンズ３０Ａ〜３０Ｄに導く。
【００４５】
このようにして、筐体２０の内部には、レーザダイオード２１Ａ〜２１Ｄから照射された画像光の光路が形成される。
【００４６】
ここで、ブラックの画像光の一部が、第３ｆθレンズ３０Ｄで反射した後に、第２ｆθレンズ２９及び第１ｆθレンズ２８を通過してポリゴンミラー２７の反射面に入射し、その反射光が迷光としてイエローの光路内に進入する場合を考える。
【００４７】
この発明の第１の実施形態に係る光走査装置１では、図５に示すように、イエローの画像光の光路内に配置される防塵ガラス５１Ａとして光の透過率が７０〜８０％であるガラスで構成する。他の防塵ガラス５１Ｂ，５１Ｃ，５１Ｄは、光の透過率が９２％程度のガラスで構成する。防塵ガラス５１Ａ〜５１Ｄは、筐体２０の上面を構成する蓋体に形成された窓部を被覆し、光走査装置１内への塵埃の進入を防ぐ。防塵ガラス５１Ａがこの発明の光量減衰手段（透過系光学素子）であり、防塵ガラス５１Ｂ，５１Ｃ，５１Ｄを構成するものと同じガラスの表面に対するフィルタの貼付、コーティング剤の塗布、又は粗化処理によって光の透過率を低下させたものである。
【００４８】
貼付するフィルタとしては、例えばＮＤフィルタを用いることができる。塗布するコーティング剤としては、例えば、ＳｉＯ2 等の酸化物又はＭｇＦ2 等のフッ化物を用いることができる。粗化処理としては、例えば粒子の粗い研磨剤での研磨処理が挙げられる。
【００４９】
この発明の第２の実施形態に係る光走査装置１では、図６に示すように、イエローの画像光の光路内に含まれるミラー３１１及び／又はミラー３８１の光の反射率を、他のミラー３２〜３７の光の反射率である９２％程度よりも低い７０〜８０％とする。ミラー３１１，３８１の光の反射率を低下させるためには、反射材料の蒸着時間を他のミラー３２〜３７に比較して短くする。また、表面に対するフィルタの貼付、コーティング剤の塗布、又は粗化処理によって光の透過率を低下させることもできる。ミラー３１１及び／又はミラー３８１が、この発明の光量減衰手段（反射系光学素子）に相当する。
【００５０】
この発明の第３の実施形態に係る光走査装置１では、図７に示すように、イエローの画像光の光路内におけるブラックの迷光の進入位置よりも下流側に、光の透過率が７０〜８０％のＮＤフィルタ５２を配置する。ＮＤフィルタ５２が、この発明の光量減衰手段（透過系光学素子）である。
【００５１】
図８に示すように、光走査装置１は、駆動手段としての駆動部６０を備えている。駆動部６０は、ＣＰＵ６１、インタフェース６２、メモリ６３、スイッチ６４、ドライバ６５〜６８を備えている。ＣＰＵ６１は、画像形成装置１００の制御部２００からインタフェース６２に入力されるイエロー、マゼンタ、シアン、ブラックの各色相の画像データに基づいて、レーザダイオード２１Ａ〜２１Ｄをドライバ６５〜６８を介して駆動する。メモリ６３は、レーザダイオード２１Ａ〜２１Ｄの補正状態を記憶する。スイッチ６４は、イエロー、マゼンタ、シアン、ブラックの各色相のうち、光量減衰手段によって光路中の光量が減衰されている色相について光量の補正指示の入力を受け付ける。
【００５２】
上記のように、ブラックの迷光がイエローの光路中に進入し、イエローの光路中に光量減衰手段を配置した場合、作業者はスイッチ６４の操作により、イエローの色相について光量の補正指示を入力する。ＣＰＵ６１は、スイッチ６４の操作内容に基づいて、イエローのレーザダイオード２１Ａを補正対象としてメモリ６３に保存する。ＣＰＵ６１は、レーザダイオード２１Ａ〜２１Ｄの駆動時に、メモリ６３の記憶内容を参照し、レーザダイオード２１Ａの光量が所定の補正量だけ増加するように、ドライバ６５に駆動データを出力する。この補正量は、光量減衰手段によって減衰した光量を補う量である。
【００５３】
図９（Ａ）は、イエローのレーザダイオードは駆動されず、ブラックのレーザダイオードが駆動されたときに、ブラックの迷光がイエローの光路内に進入した場合のイエローの感光体ドラム３Ａにおける受光量を示す図である。光量Ｌ０は、感光体ドラム３Ａにおいて可視像（トナー像）化される静電潜像を形成できる受光量の範囲の下限値である。
【００５４】
この場合、ブラックの迷光の光量Ｌ１が光量Ｌ０を超えるので、迷光により感光体に不要な露光が行われる結果、不要なブラックの画像を感光体ドラム３Ａに書き込むことになる。
【００５５】
図９（Ｂ）は、光量減衰手段によって、ブラックの迷光を、光量Ｌ０未満に減衰した図である。これにより、図９（Ａ）で発生した不要なブラックの画像を感光体ドラム３Ａに書き込むことはなくなる。
【００５６】
図９（Ｃ）において、光量Ｌ２は、光量減衰手段を使用した場合のイエローの光量であるが、迷光対策のための光量減衰手段により、減衰させた分、感光体ドラム３Ａの受光量が光量Ｌ２′となるようにイエローのレーザダイオード２１Ａの発光光量を制御する。
【００５７】
ブラックのレーザダイオード２１Ｄの発光光量は増加されないため、感光体ドラム３Ａに入射するブラックの迷光は光量Ｌ１′のままである。このため、ブラックの迷光は、イエローの光量（Ｌ２′）に対して無視できる程度の光量であり、イエローの画像に大きな影響を与えることがない。
【００５８】
このようにして、イエローの画像光に迷光が進入する場合でも、迷光の影響を受けることなく感光体ドラム３Ａ上に正確にイエローの潜像を形成することができる。
【００５９】
しかも、迷光の発生箇所の特定作業や迷光の発生箇所に対する調整等の作業を必要としないため、迷光による不要な露光を容易かつ確実に防止することができる。
【００６０】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６１】
１−光走査装置
２０−筐体
２１Ａ〜２１Ｄ−レーザダイオード（光源）
５１Ａ−防塵ガラス（光量減衰手段）
６０−駆動部（駆動手段）
１００−画像形成装置
【図１】
2012003046.tif 000003
【図２】
2012003046.tif 000004
【図３】
2012003046.tif 000005
【図４】
2012003046.tif 000006
【図５】
2012003046.tif 000007
【図６】
2012003046.tif 000008
【図７】
2012003046.tif 000009
【図８】
2012003046.tif 000010
【図９】
2012003046.tif 000011